(57)【要約】圧着式コネクタ用のカシメ台を開示した。このカシメ台は、第１部分と第２部分とを備えている。第１部分は、このカシメ台を圧着式コネクタ用のカシメ工具に連結する部分である。第２部分は、第１部分に接続しており、コネクタをカシメる部分である。更に、第１部分に、カシメ台用位置決め片が付設されている。【選択図】図５
2005183383.tif 000002
【特許請求の範囲】
【請求項１】
圧着式コネクタ用のカシメ台において、
第１部分と第２部分とを備え、
前記第１部分は、該カシメ台を圧着式コネクタ用のカシメ工具に連結する部分であり、
前記第２部分は、前記第１部分に接続しており、コネクタをカシメる部分であり、
前記第１部分に、カシメ台用位置決め片が付設されている、
ことを特徴とするカシメ台。
【請求項２】
前記カシメ台用位置決め片は、該カシメ台の前記第１部分に取外し可能に付設されている請求項１記載のカシメ台。
【請求項３】
前記カシメ台用位置決め片は、該カシメ台の前記第１部分に取外し不能に付設されている請求項１記載のカシメ台。
【請求項４】
前記カシメ台用位置決め片の曲率半径と該カシメ台の曲率半径とが略々等しい請求項１記載のカシメ台。
【請求項５】
更に取付孔を備えた請求項１記載のカシメ台。
【請求項６】
前記カシメ台用位置決め片は、該カシメ台の前記取付孔に対して同心的に位置合せされる取付孔を備えている請求項５記載のカシメ台。
【請求項７】
コネクタをカシメる方法において、
第１カシメ台及び第２カシメ台を用意し、
前記第１カシメ台に第１カシメ台用位置決め片を付設し、前記第２カシメ台に第２カシメ台用位置決め片を付設し、
前記第１カシメ台に、圧着式コネクタを装填し、
前記第２カシメ台を、前記第１カシメ台とは反対側において前記圧着式コネクタに当接させ、
前記圧着式コネクタに配線を挿入し、
カシメ工具を操作して前記圧着式コネクタをカシメる、
ことを特徴とする方法。
【請求項８】
前記カシメ台用位置決め片を、前記カシメ台に取外し可能に付設する請求項７記載の方法。
【請求項９】
前記カシメ台用位置決め片を、前記カシメ台に取外し不能に付設する請求項７記載の方法。
【発明の詳細な説明】
【技術分野】
【０００１】
本発明は、カシメ台（crimp die）に関し、より詳しくは、圧着式コネクタ用カシメ台に付設される位置決め片に関する。
【背景技術】
【０００２】
米国特許第3,032,603号公報に開示されているコネクタは、弾性クリップ部材１６を備えており、この弾性クリップ部材１６は、コネクタをカシメる前、及びカシメている最中に、配線をコネクタに仮固定することにより、カシメ作業を容易化するものである。米国特許第3,889,048号公報に開示されているコネクタは、クリップ部材２５、２７を備えており、それらクリップ部材２５、２７は、コネクタをカシメる前、及びカシメている最中に、配線をコネクタに仮止めすることによって、カシメ作業を容易化するものである。更に、カシメようとするコネクタを、カシメ工具に対して位置決めするための位置決め片を備えた様々なカシメ工具が公知となっている。
【特許文献１】米国特許第3,032,603号公報
【特許文献２】米国特許第3,889,048号公報
【発明の開示】
【発明が解決しようとする課題】
【０００３】
しかしながら、それら公知のコネクタ用カシメ工具のうちに、コネクタをカシメるためのカシメ台に位置決め片を付設したものはなかった。
Ｈタップ型圧着式コネクタをカシメるときに、そのＨタップ型圧着式コネクタをカシメ台に対して確実に位置付けることのできる、カシメ台用位置決め片を提供することが望まれている。
【０００４】
また、Ｈタップ型圧着式コネクタをカシメたときに、カシメ不良が発生する確率を非常に小さくすることのできる、カシメ台用位置決め片を提供することが望まれている。
【課題を解決するための手段】
【０００５】
以下に開示するのは、圧着式コネクタ用のカシメ台である。このカシメ台は、第１部分と第２部分とを備えている。第１部分は、このカシメ台を圧着式コネクタ用のカシメ工具に連結する部分である。第２部分は、第１部分に接続しており、コネクタをカシメる部分である。更に、第１部分に、カシメ台用位置決め片が付設されている。
【０００６】
カシメ台用位置決め片は、カシメ台の第１部分に取外し可能に付設することが好ましいが、ただし、別法として、カシメ台用位置決め片を、カシメ台の第１部分に取外し不能に付設するようにしてもよい。
【０００７】
カシメ台用位置決め片の曲率半径とカシメ台の曲率半径とを略々等しくすることが好ましい。
カシメ台用位置決め片に、カシメ台の取付孔に対して同心的に位置合せされる取付孔を設けることが好ましい。
【発明を実施するための最良の形態】
【０００８】
図面に示した本発明の実施の形態は、圧着式コネクタ（compression connector）用のカシメ台（crimp die）に、取外し可能または取外し不能に付設される、カシメ台用位置決め片（crimp die locator）に関するものである。図１〜図４は、カシメ台用位置決め片２０を単体で示した図であり、図５〜図１０は、カシメ台２２に取付けられて付設された状態にあるカシメ台用位置決め片２０を示した図である。カシメ台用位置決め片２０の材料としては、例えば銅などの導電性材料を用いることが好ましいが、ただし、その他の材料を用いることも可能である。
【０００９】
図１及び図２に示したように、カシメ台用位置決め片２０は、このカシメ台用位置決め片２０をカシメ台２２に固定して取付けるための取付孔２４を備えている。更に、図７に示したように、カシメ台２２も取付孔２６を備えており、この取付孔２６は、カシメ台用位置決め片２０の取付孔２４が、この取付孔２６に対して同心的に位置合せされるものである。小ネジ２８を、取付孔２４に挿通して取付孔２６に螺着することによって、カシメ台用位置決め片２０をカシメ台２２に固定して取付けることができ、この取付け状態は、図１０に明瞭に示されている。
【００１０】
図９から明らかなように、カシメ台用位置決め片２０の外周面の曲率半径と、カシメ台２２の内周面の曲率半径とは略々等しい。そのため、図６及び図９に示したように、カシメ台用位置決め片２０の外周面が、カシメ台２２の内周面に連続的に接触するようになっている。カシメ台用位置決め片２０は、Ｈタップ型圧着式コネクタ３０をカシメる際に、その圧着式コネクタ３０を、カシメ台２２に対して確実に位置決めできるようにするものである。尚、図示した圧着式コネクタ３０は、米国特許出願第10/981,371号（出願日：2004年11月4日）の第３３図〜第４０図に示されているものであり、同米国特許出願の開示内容は、この言及をもってその全体が本願開示に組込まれたものとする。ただし、カシメ台用位置決め片２０は、同米国特許出願に開示されている圧着式コネクタばかりでなく、いかなるＨタップ型圧着式コネクタの位置決めにも用い得るものである。カシメ台用位置決め片２０は更に、圧着式コネクタ３０をカシメ台２２対して、完全な係合状態で正確に位置付け得るようにするものであり、そのように位置付けることによって、圧着式コネクタをカシメるときに発生する圧力が一様になることから、カシメ不良が発生する確率も、また、カシメ工具（不図示）が圧着式コネクタを噛んでしまう確率も、非常に小さなものとなる。このことは、カシメ作業の現場が、例えば床下や天井裏などのような、作業難度の高い現場である場合に、特に重要である。
【００１１】
圧着式コネクタ３０のカシメ作業は、一対のカシメ台２２を装着したカシメ工具を操作することによって行われる。その場合のカシメ台２２としては、例えば「Panduit（登録商標）PH75型」カシメ台などを使用することができる。図示例では、図５及び図８に示したように、一対のカシメ台２２の各々に、１枚ずつのカシメ台用位置決め片２０が、取外し可能に付設されている。別法として、カシメ台用位置決め片２０を、カシメ台２２に取外し不能に付設するようにしてもよい。そのようにすれば、使用しているうちにカシメ台用位置決め片２０が緩んでカシメ台２２から外れてしまうという事態が防止される。更に図示例においては、図５、図８、及び図９に示したように、圧着式コネクタ３０は、主配線３４を挿入して係止する主配線ポート３２と、枝配線４０、４２を挿入して係止する枝配線ポート３６、３８とを備えている。また、図６及び図７から明らかなように、カシメ台２２は、第１部分４４と第２部分４６とを備えている。第１部分４４は、このカシメ台２２を圧着式コネクタ用のカシメ工具に連結する部分であり、互いの間に間隔をあけて設けた一対の脚片４８を備えている。それら一対の脚片４８は、第２部分４６の背面から背後へ向かって延出している。
【００１２】
使用法について説明すると、先ず、２個のカシメ台２２の各々に１枚ずつのカシメ台用位置決め片２０を、小ネジを用いて取外し可能に取付ける。図示例に使用している小ネジは、穴付き頭を備えた6-32 1/4インチの小ネジである。また、小ネジを使用する替わりに、適当な公知の取付手段を用いて、カシメ台２２にカシメ台用位置決め片２０を取付けるようにしてもよい。更に別法として、カシメ台２２に、カシメ台用位置決め片２０を一体的に形成するようにしてもよい。例えば、カシメ台２２とカシメ台用位置決め片２０とを一体鋳造品として形成することなどが考えられる。以上の用意ができたならば、２個のカシメ台２２の間に圧着式コネクタ３０を装填し、主配線３４を主配線ポート３２に挿入し、枝配線３８、４０を枝配線ポート３６、３８に挿入する。続いて、カシメ工具を操作して圧着式コネクタ３０をカシメるようにする。
【００１３】
以上に開示した本発明は、圧着式コネクタ用のカシメ台に取外し可能または取外し不能に付設される、カシメ台用位置決め片を提供するものである。ただし、図面に示して以上に説明した本発明の好適な実施の形態は、本発明に係るカシメ台用位置決め片の、あり得る全ての形態を網羅したものではなく、現時点で好適な形態として認識されている本発明の実施の形態を例示したに過ぎない。本発明は、その他の様々な形態で実施することも可能なものである。
【図面の簡単な説明】
【００１４】
【図１】本発明に係るカシメ台用位置決め片を前方側から見た斜視図である。
【図２】図１のカシメ台用位置決め片の正面図である。
【図３】図１のカシメ台用位置決め片の右側面図である。
【図４】図１のカシメ台用位置決め片の平面図である。
【図５】カシメ台に取付けられた図１のカシメ台用位置決め片を前方側から見た斜視図であり、圧着式コネクタをカシメようとしている状態を示した図である。
【図６】図５のカシメ台を後方側から見た斜視図であり、カシメ台用位置決め片が取付けられた状態を示した図である。
【図７】図５のカシメ台を前方側から見た斜視図であり、カシメ台用位置決め片を取付けようとしている状態を示した図である。
【図８】カシメ台に取付けられた図１のカシメ台用位置決め片の正面図であり、圧着式コネクタをカシメようとしている状態を示した図である。
【図９】カシメ台に取付けられた図１のカシメ台用位置決め片の背面図であり、圧着式コネクタをカシメようとしている状態を示した図である。
【図１０】図８の１０−１０線に沿った断面図である。
【図１】
2005183383.tif 000003
【図２】
2005183383.tif 000004
【図３】
2005183383.tif 000005
【図４】
2005183383.tif 000006
【図５】
2005183383.tif 000007
【図６】
2005183383.tif 000008
【図７】
2005183383.tif 000009
【図８】
2005183383.tif 000010
【図９】
2005183383.tif 000011
【図１０】
2005183383.tif 000012
【外国語明細書】
2005183383000001.pdf